(57)【要約】      （修正有）【課題】作業者が被保持物のところにまで行かなくても被保持物への取り付け／取り外しを行うことができる吊り具を提供する。【解決手段】規制部材１２が規制位置にある状態でシャックル部材３をスライドの最下位位置から吊り上げると、規制部材１２が係止部分Ｅに係止して一対のカム部材５が開位置に保持されたままとなる。この状態で、一対のカム部材５の間に被保持物を配置した後にシャックル部材３を自重により最下位位置まで下降させると位置移動部材１３により規制部材1２が許容位置に回動し、さらに再びシャックル部材３を吊り上げるとシャックル部材３が本体１に対し上方にスライドして一対のカム部材５が閉じ、被保持物が保持されて吊り上げられる。また、再びシャックル部材３を最下位位置まで下降させると、一対のカム部材５が開いて被保持物が解放される。【選択図】図１
2006341962.tif 000002
【特許請求の範囲】
【請求項１】
本体と、
前記本体に対して吊り上げ方向にスライド自在であると共に自重によりスライドの最下位位置まで下降するシャックル部材と、
互いに対向するように前記本体に回動自在に取り付けられると共に前記シャックル部材が前記本体に対して吊り上げ方向にスライドすると互いに近接する閉位置に向かって回動し且つ前記シャックル部材が前記本体に対して前記最下位位置に向かってスライドすると互いに離間する開位置に向かって回動する一対のカム部材と、
前記本体の係止部分に係止することにより前記本体に対する前記シャックル部材の吊り上げ方向へのスライドを規制する規制位置と前記本体の係止部分から外れて前記本体に対する前記シャックル部材の吊り上げ方向へのスライドを許容する許容位置との間で移動自在に前記シャックル部材に取り付けられた規制部材と、
前記本体に取り付けられると共に前記シャックル部材が前記最下位位置にまで下降する度に前記規制部材に係合することにより前記規制部材を前記規制位置と前記許容位置との間で交互に移動させる位置移動部材と
を備え、前記規制部材が前記許容位置にあって前記一対のカム部材が前記開位置にある状態で前記一対のカム部材の間に被保持物を配置して前記シャックル部材を吊り上げると、前記シャックル部材が前記本体に対して吊り上げ方向にスライドして前記一対のカム部材が閉じることにより被保持物が保持されて前記本体と共に吊り上げられ、前記シャックル部材をその自重により前記本体に対して前記最下位位置までスライドさせると前記一対のカム部材が開いて被保持物が解放されると共に前記位置移動部材により前記規制部材が前記規制位置に移動されることを特徴とする吊り具。
【請求項２】
前記規制部材が前記規制位置にあって前記一対のカム部材が前記開位置にある状態で前記シャックル部材を吊り上げると、前記規制部材が前記本体の係止部分に係止して前記本体に対する前記シャックル部材の吊り上げ方向へのスライドが規制され、前記一対のカム部材が前記開位置に保持されたまま前記シャックル部材及び前記本体が共に吊り上げられる請求項１に記載の吊り具。
【請求項３】
前記規制部材が前記規制位置にあって前記一対のカム部材が前記開位置にある状態で前記シャックル部材を吊り上げた後に前記シャックル部材をその自重により前記本体に対して前記最下位位置までスライドさせると、前記位置移動部材により前記規制部材が前記許容位置に移動される請求項２に記載の吊り具。
【請求項４】
一端部が前記一対のカム部材に回動自在に連結されると共に他端部が前記シャックル部材に回動自在に連結される連結部材をさらに備える請求項１〜３のいずれか一項に記載の吊り具。
【請求項５】
前記規制部材は、前記規制位置と前記許容位置との間で回動自在に前記シャックル部材に取り付けられ、前記位置移動部材は前記規制部材に係合することにより前記規制部材を回動させる請求項１〜４のいずれか一項に記載の吊り具。
【請求項６】
前記一対のカム部材は、それぞれその先端部に被保持物に係止する係止歯を有している請求項１〜５のいずれか一項に記載の吊り具。
【発明の詳細な説明】
【技術分野】
【０００１】
この発明は、吊り具に係り、特に型鋼等の被保持物を吊り上げるための吊り具に関する。
【背景技術】
【０００２】
例えば、特許文献１には、本体とこの本体に回動自在に取り付けられた係合部材を有する吊り具が開示されている。本体に設けられたレバーをロック解除位置に操作することにより回動可能な状態にされた係合部材と本体との間に被保持物を挿入し、その後、レバーをロック位置に操作すると係合部材と本体との間に締め付け力が生じて被保持物が保持される。その状態で、吊り具を介して被保持物を吊り上げる。
【０００３】
【特許文献１】特開２００１−８０８７３号公報
【発明の開示】
【発明が解決しようとする課題】
【０００４】
しかしながら、特許文献１の吊り具では、被保持物への取り付け／取り外しの際に作業者が被保持物及び吊り具に直接に触れて操作する必要があるため、例えば作業者が被保持物に近づくのが困難な場合には、この吊り具を使用できないという問題があった。
この発明はこのような問題点を解消するためになされたもので、作業者が被保持物のところにまで行かなくても被保持物への取り付け／取り外しを行うことができる吊り具を提供することを目的とする。
【課題を解決するための手段】
【０００５】
この発明に係る吊り具は、本体と、本体に対して吊り上げ方向にスライド自在であると共に自重によりスライドの最下位位置まで下降するシャックル部材と、互いに対向するように本体に回動自在に取り付けられると共にシャックル部材が本体に対して吊り上げ方向にスライドすると互いに近接する閉位置に向かって回動し且つシャックル部材が本体に対して最下位位置に向かってスライドすると互いに離間する開位置に向かって回動する一対のカム部材と、本体の係止部分に係止することにより本体に対するシャックル部材の吊り上げ方向へのスライドを規制する規制位置と本体の係止部分から外れて本体に対するシャックル部材の吊り上げ方向へのスライドを許容する許容位置との間で移動自在にシャックル部材に取り付けられた規制部材と、本体に取り付けられると共にシャックル部材が最下位位置にまで下降する度に規制部材に係合することにより規制部材を規制位置と許容位置との間で交互に移動させる位置移動部材とを備え、規制部材が許容位置にあって一対のカム部材が開位置にある状態で一対のカム部材の間に被保持物を配置してシャックル部材を吊り上げると、シャックル部材が本体に対して吊り上げ方向にスライドして一対のカム部材が閉じることにより被保持物が保持されて本体と共に吊り上げられ、シャックル部材をその自重により本体に対して最下位位置までスライドさせると一対のカム部材が開いて被保持物が解放されると共に位置移動部材により規制部材が規制位置に移動されるものである。
【０００６】
規制部材が規制位置にあって一対のカム部材が開位置にある状態でシャックル部材を吊り上げると、規制部材が本体の係止部分に係止して本体に対するシャックル部材の吊り上げ方向へのスライドが規制され、一対のカム部材を開位置に保持したままシャックル部材及び本体を共に吊り上げることができる。
また、規制部材が規制位置にあって一対のカム部材が開位置にある状態でシャックル部材を吊り上げた後にシャックル部材をその自重により本体に対して最下位位置までスライドさせると、位置移動部材により規制部材が許容位置に移動されるように構成することができる。
【０００７】
一端部が一対のカム部材に回動自在に連結されると共に他端部がシャックル部材に回動自在に連結される連結部材をさらに備えることができる。
また、規制部材は、規制位置と許容位置との間で回動自在にシャックル部材に取り付けられ、位置移動部材が規制部材に係合することにより規制部材を回動させるように構成することができる。
さらに、一対のカム部材はそれぞれその先端部に被保持物に係止する係止歯を有することが好ましい。
【発明の効果】
【０００８】
この発明によれば、作業者が被保持物のところにまで行かなくても被保持物への取り付け／取り外しを行うことができる。
【発明を実施するための最良の形態】
【０００９】
以下、この発明の実施の形態を添付図面に基づいて説明する。
図１及び２を参照して、この発明の実施の形態に係る吊り具を説明する。この吊り具は、本体１と、本体１の一対の平板１ａの間に形成された収容部２内にスライド自在に配置されるシャックル部材３とを有している。収容部２の下端部には、シャックル部材３のスライドの最下位位置を規定する底板４が配置されており、本体１に対してシャックル部材３は、底板４上面に当接する最下位位置から吊り上げ方向、すなわち上方にスライドすると共に自重により最下位位置まで下降するように構成されている。なお、図１は、本体１の一対の平板１ａのうち手前側に位置する平板１ａを省略した図である。
【００１０】
本体１の一対の平板１ａの間には、カム部材５がピン６を介して回動自在に配置されており、カム部材５は連結部材７を介してシャックル部材３に連結されている。ここで、連結部材７には、その一端部にピン８を介してシャックル部材３が回動自在に連結されると共にその他端部にピン９を介してカム部材５が回動自在に連結されている。また、図示されていないが、図１のシャックル部材３の右側にも、シャックル部材３の左側に位置するカム部材５と同様のカム部材が回動自在に配置され、このカム部材も二点鎖線で示されるような連結部材を介してシャックル部材３に連結されている。これら左側のカム部材５と右側のカム部材は、互いに対向するように左右対称に配置され、シャックル部材３が本体１に対して上方にスライドすると互いに近接する閉位置に向かって回動すると共に、シャックル部材３が本体１に対して最下位位置に向かってスライドすると互いに離間する開位置に向かって回動するように構成されている。また、一対の平板１ａの間には、左側のカム部材５の下部にこのカム部材５の最大閉位置を規定するストッパ１１が固定されている。同様に、右側のカム部材の下部にもこのカム部材の最大閉位置を規定するストッパが固定されている。なお、以下では、これら左側のカム部材５と右側のカム部材を、一対のカム部材５と総称するものとする。
【００１１】
さらに、シャックル部材３の下部には、規制部材１２が回動自在に取り付けられている。また、収容部２の底板４の上面には、規制部材１２に係合することによりこの規制部材１２を回動させるための位置移動部材１３が固定されている。
なお、シャックル部材３の上部には、吊り上げ用の環状部１４が形成されている。また、本体１の側部には、手かぎ等を係合させて操作補助するための係合孔が形成された補助孔部１５が取り付けられている。
【００１２】
ここで、図３〜５に示されるように、本体１の一対の平板１ａは互いに間隔をあけて対向しており、それらの間に底板４が配置されると共に底板４の上面に角筒状の収容部２が上下方向に延在するように配置されている。また、平板１ａに対向する収容部２の一対の側壁には、それぞれそのほぼ中央から上端まで延長してその上端で開口する溝１６が形成されており、シャックル部材３と連結部材７とを連結するピン８がこれらの溝１６に沿って移動可能に構成されている。また、溝１６が形成されていない収容部２の一つの側壁には、その下部に開口１７が形成され、開口１７の縁部に沿って枠部１８が配置されている。これら開口１７の縁部及び枠部１８により、規制部材１２が係止する本体１の係止部分Ｅが構成されている。また、底板４の上面には、図６（ａ）及び（ｂ）に示される位置移動部材１３がその突出部１３ａを収容部２内に突出させるように固定されると共に、枠部１８の端部には、図７（ａ）及び（ｂ）に示されるカバー１９が固定される。
なお、図３に示されるように、本体１の双方の平板１ａには下方が切り欠かれた切り欠き部２０が形成されており、この切り欠き部２０の両側に一対のカム部材５がそれぞれその先端部を切り欠き部２０内に突出させて互いに対向するように配置される。
【００１３】
また、図８（ａ）及び（ｂ）に示されるように、シャックル部材３は、収容部２内をスライド可能な角筒状のシャックル本体部２１を有し、このシャックル本体部２１の上部に環状部１４が配置されている。ここで、シャックル本体部２１の上半部内には環状部１４の重量部１４ａが挿入されており、シャックル部材３がその自重により収容部２内を下降することができるように構成されている。また、シャックル本体部２１の下半部は中空状になっており、この下半部の内部に突出形成された一対の支持部２２の間に、図９に示されるような係止面１２ａ、側面１２ｂ及び頂部１２ｃを有する規制部材１２がピンを介して回動自在に取り付けられる。また、シャックル本体部２１の下半部の１つの側壁には開口２３が形成されている。また、シャックル本体部２１の下半部には、シャックル部材３と連結部材７とを連結するピン８を通すための貫通孔２４が形成されると共に、スプリングピンを取り付けるための貫通孔２５が形成されている。
【００１４】
このシャックル部材３は、開口２３が形成されたシャックル本体部２１の側壁と開口１７が形成された収容部２の側壁とが互いに対向するように収容部２内に配置され、シャックル部材３がスライドの最下位位置付近にあるときは、シャックル本体部２１の開口２３と収容部２の開口１７とが連通すると共に規制部材１２の回動角度に応じて規制部材１２の一部がこれらシャックル本体部２１の開口２３及び収容部２の開口１７を介して枠部１８内に突出するように構成されている。
【００１５】
また、一対のカム部材５はそれぞれ図１０に示されるように、その先端部の両側にそれぞれ係合歯５ａを有している。
【００１６】
次に、以上のような構成を有する吊り具の動作を説明する。まず、図１には、シャックル部材３がスライドの最下位位置にあって一対のカム部材５が開位置にある状態が示されている。ここで、規制部材１２は一つの係止面１２ａが上方を向いて本体１の係止部分Ｅに対向する回動位置にあり、この回動位置を規制位置と呼ぶことにする。このように、規制部材１２が規制位置にある状態で、環状部１４によりシャックル部材３を吊り上げると、規制部材１２の上方を向いた係止面１２ａが本体１の係止部分Ｅである収容部２の開口１７の縁部及び枠部１８に当接すると共に規制部材１２が時計回り方向に回動して図１１に示されるように規制部材１２の頂部１２ｃが収容部２の側壁に当接し、これにより規制部材１２の回動位置が固定される。すなわち、規制部材１２が本体１の係止部分Ｅに係止して本体１に対するシャックル部材３の上方へのスライドが規制され、一対のカム部材５が開位置に保持されたままシャックル部材３及び本体１が共に吊り上げられる。
この状態で、図示しない被保持物に上方からこの吊り具をかぶせる等して一対のカム部材５の間に被保持物を配置した後、図１２に示されるように、シャックル部材３をその自重により本体１に対してスライドの最下位位置まで下降させると、規制部材１２の下方を向いた側面１２ｂが位置移動部材１３の突出部１３ａに当接して規制部材１２が図１２において時計回り方向に回動し、規制部材１２の上方を向いた側面１２ｂが本体１の係止部分Ｅに対向する。このような規制部材２の回動位置を許容位置と呼ぶことにする。
【００１７】
次に、再びシャックル部材３を吊り上げると、規制部材１２は許容位置となっているので、規制部材１２の上方を向いた側面１２ｂが本体１の係止部分Ｅに接触して図１３に示されるように規制部材１２の側面１２ｂが収容部２の側壁とほぼ平行になるまで規制部材１２は時計回り方向に回動する。このため、規制部材１２が本体１の係止部分Ｅに係止することなくシャックル部材３が本体１に対し上方にスライドして一対のカム部材５が閉じ、これにより被保持物が保持されて本体１と共に吊り上げられる。
このようにして、吊り具を被保持物に取り付けて吊り上げることができる。
【００１８】
さらに、シャックル部材３をその自重により本体１に対してスライドの最下位位置まで下降させると、図１に示されるように一対のカム部材５が開いて被保持物が解放されると共に規制部材１２の下方を向いた係止面１２ａが位置移動部材１３の突出部１３ａに当接して規制部材１２が図１において時計回り方向に回動し、規制位置となる。
また、この状態で、シャックル部材３を吊り上げると、規制部材１２は規制位置となっているので、図１１に示されるように、規制部材１２が再び本体１の係止部分Ｅに係止して本体１に対するシャックル部材３の上方へのスライドが規制され、一対のカム部材５が開位置に保持されたままシャックル部材３及び本体１が共に吊り上げられる。
このようにして、被保持物から吊り具を取り外すことができる。
【００１９】
なお、シャックル部材３がスライドの最下位位置にまで下降する度に、位置移動部材１３の突出部１３ａが規制部材１２に係合して規制部材１２が規制位置及び許容位置の間で交互に回動される。
【００２０】
以上のように、シャックル部材３を本体１に対して上下にスライドさせることで吊り具の被保持物への取り付け／取り外しを自動で行うことができる。したがって、作業者が被保持物のところにまで行かなくても吊り具の被保持物への取り付け／取り外しが可能となり、これにより、作業者が被保持物に近づくのが困難な場合でもこの吊り具を用いて吊り上げを行うことができる。
また、吊り具を耐熱性のＭｏ、Ｃｒ及びＴ等の材料から形成すれば、この吊り具を常温の被保持物から８００℃程度の温度を有する被保持物にまで広く用いることができる。
【００２１】
なお、上述の実施の形態では、一対のカム部材５の双方がそれぞれその先端部の両側に係合歯５ａを有していたが、その代わりに、一方のカム部材のみがその先端部の両側に係止歯を有し、他方のカム部材はその先端部の中央に１つの係止歯を有するように構成することもでき、その場合、一対のカム部材５により被保持物を保持する際の安定性を向上させることができる。
【図面の簡単な説明】
【００２２】
【図１】この発明の実施の形態に係る吊り具を示す一部省略正面図である。
【図２】この発明の実施の形態に係る吊り具を示す側面図である。
【図３】実施の形態における本体を示す正面図である。
【図４】実施の形態における本体を示す側面図である。
【図５】実施の形態における本体を示す平面図である。
【図６】実施の形態における位置移動部材を示し、（ａ）は正面図、（ｂ）は側面図である。
【図７】実施の形態におけるカバーを示し、（ａ）は正面図、（ｂ）は側面図である。
【図８】実施の形態におけるシャックル部材を示し、（ａ）は正面図、（ｂ）は側面図である。
【図９】実施の形態における規制部材を示し、（ａ）は正面図、（ｂ）は側面図である。
【図１０】実施の形態におけるカム部材の先端部を示す平面図である。
【図１１】この発明の実施の形態に係る吊り具における規制部材が本体の係止部分に係止した様子を示す一部省略正面図である。
【図１２】この発明の実施の形態に係る吊り具における規制部材が許容位置に回動された様子を示す一部省略正面図である。
【図１３】この発明の実施の形態に係る吊り具におけるカム部材が閉じられた様子を示す一部省略正面図である。
【符号の説明】
【００２３】
１  本体、１ａ  平板、２  収容部、３  シャックル部材、４  底板、５  カム部材、５ａ  係止歯、６，８，９  ピン、１１  ストッパ、１２  規制部材、１２ａ  係止面、１２ｂ  側面、１２ｃ  頂部、１３  位置移動部材、１３ａ  突出部、１４  環状部、１４ａ  重量部、１５  補助用孔部、１６  溝、１７，２３  開口、１８枠部、１９  カバー、２０  切り欠き部、２１  シャックル本体部、２２  支持部、２４，２５  貫通孔、Ｅ  係止部分。
【図１】
2006341962.tif 000003
【図２】
2006341962.tif 000004
【図３】
2006341962.tif 000005
【図４】
2006341962.tif 000006
【図５】
2006341962.tif 000007
【図６】
2006341962.tif 000008
【図７】
2006341962.tif 000009
【図８】
2006341962.tif 000010
【図９】
2006341962.tif 000011
【図１０】
2006341962.tif 000012
【図１１】
2006341962.tif 000013
【図１２】
2006341962.tif 000014
【図１３】
2006341962.tif 000015